(57)【要約】【課題】簡単な構造で足の特につま先の浮きを抑制することができる脱ぎ履きが容易な長靴を提供することを目的とする。【解決手段】本発明に係る長靴は、長靴本体２と、長靴本体２の靴底６に取り付けられて長靴本体２に対して足を保持する保持部１０とを有する。保持部１０は、長靴本体２の靴底６から立ち上がって足２０の先端側を支持する支持部１２と、支持部１２に設けられ、足２０の甲部２２に当接することにより足２０のつま先２５の浮き上がりを防止する浮き上がり防止部１４とを有する。【選択図】図１
2012071034.tif 000002
【特許請求の範囲】
【請求項１】
長靴本体と、長靴本体の靴底に取り付けられて長靴本体に対して足を保持する保持部とを有し、
前記保持部は、前記長靴本体の靴底から立ち上がって足の先端側を支持する支持部と、該支持部に設けられ、足の甲部に当接することにより足のつま先の浮き上がりを防止する浮き上がり防止部とを有することを特徴とする長靴。
【請求項２】
前記支持部は、前記長靴本体の靴底に取り付けられて足の母趾と第二趾との間で挟持される軸部によって形成され、
前記浮き上がり防止部は、前記軸部の上端から足の甲部に沿って二股状に延びる鍔部によって形成されることを特徴とする請求項１に記載の長靴。
【請求項３】
前記支持部は、前記長靴本体の靴底に取り付けられて足の先端側を両側から支持する一対の支持板によって形成され、
前記浮き上がり防止部は、一対の支持板の上端が足の甲部に沿って内側に湾曲することにより形成されることを特徴とする請求項１に記載の長靴。
【請求項４】
前記浮き上がり防止部は、足の甲部と接触するその内面に鉤状の微小突起を有することを特徴とする請求項１ないし請求項３のいずれか１項に記載の長靴。
【請求項５】
前記保持部は、長靴本体の靴底に対して着脱自在に取り付けられ、靴底に対する高さが調整可能であることを特徴とする請求項１ないし請求項４のいずれか１項に記載の長靴。
【発明の詳細な説明】
【技術分野】
【０００１】
本発明は、悪天候時、或いはレジャー時等において使用される長靴に関する。
【背景技術】
【０００２】
通常、長靴は、足首領域から下方部分を包囲する足覆部と、足首領域から上方部分を包囲する筒部とを備えており、防水、防寒などを目的として履かれる。このような長靴は、使用に際して、足の甲部と足覆部との間に大きな隙間が生じているため、足裏のつま先から踵に至る領域が靴底から浮き易く、フィット感に欠け、歩き難いという問題がある。
【０００３】
このような問題を解決するために、特許文献１には、エアの送排によって膨縮可能なインナーを長靴内面と足との間の隙間に介挿することにより、長靴と足との間の遊びを無くすようにした長靴が開示されている。
【先行技術文献】
【特許文献】
【０００４】
【特許文献１】特開２００１−３４０１０６号
【発明の概要】
【発明が解決しようとする課題】
【０００５】
しかしながら、特許文献１では、インナーを使用する際には、インナーを長靴内にセットしなければならない。しかも、その場合には、長靴を履く度に、インナーにエアを送入し、長靴を脱ぐ度にインナーからエアを排出しなければならず、長靴の脱ぎ履きが面倒であるという問題がある。また、エアの送入・排出のための送排気栓を備えるため、長靴全体の構造が複雑となる。
【０００６】
本発明は、前記事情に着目してなされたものであり、その目的とするところは、簡単な構造で足の特につま先の浮きを抑制することができる脱ぎ履きが容易な長靴を提供することにある。
【課題を解決するための手段】
【０００７】
前記課題を解決するために、請求項１に記載の長靴は、長靴本体と、長靴本体の靴底に取り付けられて長靴本体に対して足を保持する保持部とを有し、前記保持部は、前記長靴本体の靴底から立ち上がって足の先端側を支持する支持部と、該支持部に設けられ、足の甲部に当接することにより足のつま先の浮き上がりを防止する浮き上がり防止部とを有することを特徴とする。
【０００８】
この請求項１に記載の長靴によれば、保持部が長靴本体の靴底に取り付けられた状態であるため、特許文献１のインナーのように取り付け取り外しの手間がかからない。また、エアの送入・排出を伴うことなく、保持部が長靴本体の靴底から立ち上がって足の甲部に当接することで足の先端側を支持するとともに足のつま先の浮き上がりを防止するため、簡単な構造で面倒な作業を伴うことなく足の浮きを抑制して、歩行時にいわゆるブカブカする感触を解消できる。つまり、脱ぎ履きが容易で、歩行性に優れる。
【０００９】
また、請求項２に記載の長靴は、請求項１に記載の長靴において、前記支持部は、前記長靴本体の靴底に取り付けられて足の母趾と第二趾との間で挟持される軸部によって形成され、前記浮き上がり防止部は、前記軸部の上端から足の甲部に沿って二股状に延びる鍔部によって形成されることを特徴とする。
【００１０】
この請求項２に記載の長靴によれば、請求項１に記載の長靴と同様の作用効果が得られるとともに、足の先端側を支持する支持部が足の母趾と第二趾との間で挟持される軸部によって形成されているため、足が長靴内で前方へ行き過ぎたり（前方へずれたり）あるいは左右にずれたりするといったことがなくなる。つまり、長靴に対する足の位置を前後左右で安定させることができる。また、本構成では、浮き上がり防止部が軸部の上端から足の甲部に沿って二股状に延びる鍔部によって形成されているため、つま先を安定して保持することができ、つま先の浮き上がりを効果的に防止できる。
【００１１】
また、請求項３に記載の長靴は、請求項１に記載の長靴において、前記支持部は、前記長靴本体の靴底に取り付けられて足の先端側を両側から支持する一対の支持板によって形成され、前記浮き上がり防止部は、一対の支持板の上端が足の甲部に沿って内側に湾曲することにより形成されることを特徴とする。
【００１２】
この請求項３に記載の長靴によれば、請求項１に記載の長靴と同様の作用効果が得られるとともに、足の先端側を支持する支持部が足を両側から支持する一対の支持板によって形成されているため、足の先端側と大きな面積にわたって接触することができ、局所的な圧力を足に及ぼすことなく足の先端側を足の内側および外側から安定して保持することができる。つまり、長靴内での足先の横幅方向の位置を固定でき、大きな力が加わった際にも足を確実に安定させることができる。なお、この場合、支持部を先端側に向かって先細るように形成または配置すれば、足の位置を前後方向でも安定させることができるため有益である。また、本構成では、一対の支持板の上端が足の甲部に沿って内側に湾曲することにより浮き上がり防止部が形成されるため、支持部が浮き上がり防止部を兼ねることができ、支持部および浮き上がり防止部を有する保持部を簡単に形成できる。
【００１３】
また、請求項４に記載の長靴は、請求項１ないし請求項３のいずれか１項に記載の長靴において、前記浮き上がり防止部は、足の甲部と接触するその内面に鉤状の微小突起を有することを特徴とする。
【００１４】
この請求項４に記載の長靴によれば、請求項１ないし請求項３のいずれか１項に記載の長靴と同様の作用効果が得られるとともに、足の甲部と接触する浮き上がり防止部の内面に鉤状の微小突起が設けられているため、例えば足に履かれたソックス表面が浮き上がり防止部の内面の鉤状の微小突起に引っ掛かり、長靴内での足のずれ（前後左右のずれ）を効果的に防止できる。
【００１５】
また、請求項５に記載の長靴は、請求項１ないし請求項４のいずれか１項に記載の長靴において、前記保持部は、長靴本体の靴底に対して着脱自在に取り付けられ、靴底に対する高さが調整可能であることを特徴とする。
【００１６】
この請求項４に記載の長靴によれば、請求項１ないし請求項４のいずれか１項に記載の長靴と同様の作用効果が得られるとともに、保持部が長靴本体の靴底に対して着脱自在に取り付けられるため、例えば保持部が劣化または損傷した場合にはこれを適宜交換できる。また、靴底に対する保持部の高さを調整できるため、個人の足の甲部の高さに合わせて調整することができ、したがって、つま先の浮き上がり防止効果を向上させることができるとともに、浮き上がり防止部の外縁が足の甲部に当たることも防止できる。
【発明の効果】
【００１７】
本発明によれば、簡単な構造で足の特につま先の浮きを抑制することができる脱ぎ履きが容易な長靴を提供できる。
【図面の簡単な説明】
【００１８】
【図１】本発明の第１の実施形態に係る長靴の概略図である。
【図２】（ａ）は図１の長靴の保持部の平面図、（ｂ）は保持部の一部断面を有する正面図、（ｃ）は保持部の側面図である。
【図３】図２の保持部をインソールに取り付ける状態を示す分解斜視図である。
【図４】保持部をインソールに取り付ける別の形態を示す分解断面図である。
【図５】本発明の第２の実施形態に係る長靴の概略図である。
【図６】（ａ）は図５の長靴の保持部の斜視図、（ｂ）は保持部の正面図である。
【図７】図６の保持部をインソールに取り付ける状態を示す分解斜視図である。
【図８】第１および第２の実施形態の変形例であり、（ａ）は内面に鉤状の微小突起を有する第１の実施形態の保持部の正面図、（ｂ）は該保持部の裏面図、（ｃ）は内面に鉤状の微小突起を有する第２の実施形態の保持部の斜視図である。
【発明を実施するための形態】
【００１９】
以下、図面を参照しながら、本発明に係る長靴の実施形態について説明する。
図１〜図４は本発明の第１の実施形態を示している。図示のように、本実施形態の長靴１は、長靴本体２と、長靴本体２の靴底６に取り付けられて長靴本体２に対して足２０を保持する保持部１０とを有する。長靴本体２は、その内側に入れられる足の足首領域からその下方領域を包囲するように断面が略半楕円形状に形成された足覆部２Ａと、足首領域からその上方領域を包囲するように断面が略円形状に形成された筒部２Ｂとを有する。また、長靴本体２は、例えば、軟質塩化ビニル樹脂、オレフィン系熱可塑性エラストマー、軟質ポリオレフィン、スチレン系熱可塑性エラストマー、ウレタン系熱可塑性エラストマーなどの比較的柔軟な素材によって形成される。
【００２０】
なお、長靴本体２の靴底６は一般に足覆部２Ａの底面２Ａａによって形成されるが、足覆部２Ａの内部に底面２Ａａに積層して配置されるインソール（中敷き；、履き心地を向上するために設置される）が存在する場合には、底面２Ａａとインソールとによって靴底６が形成される。
【００２１】
本実施形態の保持部１０は、図１および図２に示されるように、靴底６から立ち上がって足の先端側を支持する支持部１２と、支持部１２に設けられ、足２０の甲部２２に当接することにより足２０のつま先２５の浮き上がりを防止する浮き上がり防止部１４とを有する。保持部１０は、靴底６を構成する足覆部２Ａの底面２Ａａに直接に取り付けられてもよいが、本実施形態では、図３に示されるように、足覆部２Ａの内部に底面２Ａａに積層して配置されるインソール４０に対して取り付けられる。なお、この場合、インソール４０は、長靴本体２内に圧入固定され（長靴本体２の足覆部２Ａの内壁周面に対してインソール４０の外周面が圧入嵌合され）、あるいは、鉤状の微小突起（例えば、ベルクロ（登録商標）など）を介して靴底６の内面に着脱自在に取り付けられ、あるいは、靴底６の内面に対して接着固定されてもよい。
【００２２】
具体的に、本実施形態の保持部１０は、例えば、塩化ビニル樹脂、オレフィン系熱可塑性エラストマー、ウレタン系熱可塑性エラストマー、合成ゴムなどの比較的柔軟な素材によって形成されており、下駄や草履の鼻緒の形態をほぼ成している。より具体的には、支持部１２は、長靴本体２の靴底６を構成するインソール４０に取り付けられて足２０の母趾２７と第二趾２９との間で挟持される軸部１２Ａによって形成され、また、浮き上がり防止部１４は、軸部１２Ａと一体に形成されるとともに軸部１２Ａの上端から足２０の甲部２２に沿って二股状に延びる鍔部１４Ａによって形成される。この場合、軸部１２Ａは、後述する取り付けネジ５０が螺合されるネジ孔１９を下端面１２Ａａから所定の長さにわたって有する。また、鍔部１４Ａは、軸部１２Ａの上端からつま先２５と反対方向に向かって互いに離間するように二股状に延びる一対の舌部１８，１８を有する。これらの舌部１８，１８は、その延在端（つま先２５と反対側の先端部）に向かって下向きに傾斜して延びるとともに、その外周縁に向かって徐々に薄肉となるように形成されている。また、足２０の甲部２２と接触する舌部１８，１８の内面１８ａは、甲部２２の形状に沿うように上側に窪んだ湾曲形状を成している。このような舌部１８，１８の形状によれば、曲がり易くなるため、長靴本体１内への足の出し入れが行ない易く、浮き上がり防止部１４の外縁が足２０の甲部２２に強く当て付くことを防止できる。
【００２３】
図３には、保持部１０がインソール４０に対して着脱交換可能および高さ調整可能に取り付けられる状態が示されている。図示のように、インソール４０に対して保持部１０を取り付ける場合には、インソール４０の先端側に形成される取り付け孔４０ａに取り付けネジ５０を挿通し、その挿通された取り付けネジ５０の突出端部を保持部１０の支持部１２（軸部１２Ａ）のネジ孔１９に螺合する。この場合、軸部１２Ａの下端面１２Ａａがインソール４０の表面に当て付くまで取り付けネジ５０をネジ孔１９にねじ込むが、必要に応じて、高さ調整用のスペーサ６０を軸部１２Ａとインソール４０との間に介挿してもよい。スペーサ６０は、例えばＵ字形を成しており、取り付けネジ５０の外周の一部に係合した状態で軸部１２Ａの下端面１２Ａａとインソール４０の表面との間で挟持される。なお、調整高さに応じて、スペーサ６０を複数介在させてもよく、あるいは、高さの異なるスペーサ６０を選択的に使用してもよい。また、保持部１０が劣化または損傷した場合には、取り付けネジ５０を外して、適宜交換できる。このように、高さ調整可能な構成を採用すると、個人の足の甲部の高さに合わせて調整することができるため、つま先の浮き上がり防止効果を向上させることができるとともに、浮き上がり防止部１４の外縁が足の甲部に当たることも防止できる。
【００２４】
また、インソール４０（あるいは、靴底６を構成する足覆部２Ａの底面２Ａａ）に対する保持部１０の取り付け形態は、図３に示されるようなネジ止め方式に限らない。例えば、図４に示されるように、圧入ピン６２による取り付け方式を採用してもよい。すなわち、この場合には、インソール４０の段付きの取り付け孔４０ａ’に圧入ピン６２を挿通し、その挿通された圧入ピン６２の突出端部を保持部１０の軸部１２Ａの段付きの係止穴１９’に抜け止め係止させるが、圧入ピン６２は、その軸部に長手方向のすり割り６３が形成されており、段付きの取り付け孔４０ａ’の小径穴部７１から係止穴１９’の小径穴部７２にわたって挿通される際には、すり割り６３を利用して径方向内側に弾性変形して縮径された状態で挿通され、係止穴１９’の奥端の大径穴部７３に達した時点で元の外径へと弾性的に拡径されることによりその一端である挿入端のフランジ係止部６２ａが大径穴部７３に係止するようになっている。また、この係止状態では、圧入ピン６２の他端の大径の皿状部６２ｂが取り付け孔４０ａ’の大径穴部７４内に収まって大径穴部７４と小径穴部７１との間の段差に当て付く。これにより、保持部１０がインソール４０に対して抜け止め支持される。
【００２５】
以上説明したように、本実施形態の長靴１によれば、保持部１０が長靴本体２の靴底６に取り付けられた状態であるため、特許文献１のインナーのように取り付け取り外しの手間がかからない。また、エアの送入・排出を伴うことなく、保持部１０が長靴本体２の靴底６から立ち上がって足２０の甲部２２に当接することで足２０の先端側を支持するとともに足２０のつま先２５の浮き上がりを防止するため、簡単な構造で面倒な作業を伴うことなく足２０の浮きを抑制して、歩行時にいわゆるブカブカする感触を解消できる。つまり、脱ぎ履きが容易で、歩行性に優れる。
【００２６】
また、本実施形態によれば、足２０の先端側を支持する支持部１２が足２０の母趾２７と第二趾２９との間で挟持される軸部１２Ａによって形成されているため、足２０が長靴１内で前方へ行き過ぎたり（前方へずれたり）あるいは左右にずれたりするといったことがなくなる。つまり、長靴１に対する足２０の位置を前後左右で安定させることができる。また、本実施形態では、浮き上がり防止部１４が軸部１２Ａの上端から足２０の甲部２２に沿って二股状に延びる鍔部１４Ａによって形成されているため、つま先２５を安定して保持することができ、つま先２５の浮き上がりを効果的に防止できる。
【００２７】
図５〜図７は本発明の第２の実施形態を示している。図示のように、本実施形態の長靴１Ａは、保持部の形態のみが第１の実施形態と異なる。すなわち、本実施形態の保持部８０は、図５および図６に示されるように、靴底６から立ち上がって足の先端側を支持する支持部８２と、支持部８２に設けられ、足の甲部に当接することにより足のつま先の浮き上がりを防止する浮き上がり防止部８４とを有する。保持部８０は、靴底６を構成する足覆部２Ａの底面２Ａａに直接に取り付けられてもよいが、本実施形態でも第１の実施形態と同様に、足覆部２Ａの内部に底面２Ａａに積層して配置されるインソール４０に対して取り付けられる（図７参照）。
【００２８】
具体的に、本実施形態の保持部８０は、例えば、塩化ビニル樹脂、オレフィン系熱可塑性エラストマー、ウレタン系熱可塑性エラストマー、合成ゴムなどの比較的柔軟な素材によって形成されており、サンダルの帯の形態をほぼ成している。より具体的には、支持部８２は、長靴本体２の靴底６を構成するインソール４０に取り付けられて足の先端側を両側から支持する一対の支持板８２Ａ，８２Ａによって形成され、また、浮き上がり防止部８４は、一対の支持板８２Ａ，８２Ａの上端部８９を足の甲部に沿って内側に湾曲させることにより形成される。この場合、支持板８２Ａ，８２Ａの上端部８９は、その自由端へ向かって肉厚が薄くなるように形成されており、したがって、この部位で曲がり易く、一対の支持板８２Ａ，８２Ａを互いに離間させるように押し広げることにより長靴本体１内への足の出し入れを容易に行なうことができるようになる。また、浮き上がり防止部８４が足の甲部に強く当て付くことも防止できる。なお、本実施形態では、一対の支持板８２Ａ，８２Ａが連結部８８によって連結されており、保持部８０が略“コ”の字状の形態を成している。
【００２９】
図７には、保持部８０がインソール４０に対して着脱交換可能に取り付けられる状態が示されている。図示のように、インソール４０に対して保持部８０を取り付ける場合には、連結部８８がインソール４０の裏面に当て付くまでインソール４０の先端部の両側に形成された一対の長穴９０，９０に一対の支持板８２Ａ，８２Ａを挿通させればよい。この場合、一対の支持板８２Ａ，８２Ａを互いに離間させるように押し広げて長穴９０，９０に挿通した後、押し広げ力を解除すれば、支持板８２Ａ，８２Ａが元の形状へと戻って内側に変形することにより連結部８８と共に長穴９０，９０間のインソール部位を挟み込むように保持ため、保持部８０がインソール４０に対して係止される（取り付けられる）。なお、本実施形態のように一対の支持板８２Ａ，８２Ａが連結部８８によって連結されていない場合には、浮き上がり防止部８４を有する各支持板８２Ａ，８２Ａをインソール４０の先端部の両側に個別に取り付け固定すればよい。また、必要に応じて支持板８２Ａ，８２Ａの高さが異なる保持部８０を選択的に使用することにより高さ調整も可能である。
【００３０】
このように、本実施形態によれば、足の先端側を支持する支持部８２が足を両側から支持する一対の支持板８２Ａ，８２Ａによって形成されているため、足の先端側と大きな面積にわたって接触することができ、局所的な圧力を足に及ぼすことなく足の先端側を足の内側および外側から安定して保持することができる。つまり、長靴１Ａ内での足先の横幅方向の位置を固定でき、大きな力が加わった際にも足を確実に安定させることができる。また、本実施形態では、一対の支持板８２Ａ，８２Ａの上端が足の甲部に沿って内側に湾曲することにより浮き上がり防止部８４が形成されるため、支持部８２が浮き上がり防止部８４を兼ねることができ、支持部８２および浮き上がり防止部８４を有する保持部８０を簡単に形成できる。
【００３１】
なお、本発明は、前述した実施形態に限定されず、その要旨を逸脱しない範囲で、種々変形して実施できることは言うまでもない。例えば、本発明では、前述した実施形態の浮き上がり防止部１４（鍔部１４Ａ），８４（及び／又は支持板８２Ａ，８２Ａ）の内面、すなわち、足の甲部と接触する内面に、図８に示されるように鉤状の微小突起（例えば、ベルクロ（登録商標）など）９５を設けてもよい。そのようにすれば、例えば足に履かれたソックス表面が浮き上がり防止部の内面の鉤状の微小突起９５に引っ掛かり、長靴内での足のずれ（前後左右のずれ）を効果的に防止できる。
【符号の説明】
【００３２】
１，１Ａ  長靴
２  長靴本体
６  靴底
１０，８０  保持部
１２，８２  支持部
１２Ａ  軸部
１４，８４  浮き上がり防止部
１４Ａ  鍔部
２０  足
２２  甲部
２５  つま先
２７  母趾
２９  第二趾
８２Ａ  支持板
８９  微小突起
【図１】
2012071034.tif 000003
【図２】
2012071034.tif 000004
【図３】
2012071034.tif 000005
【図４】
2012071034.tif 000006
【図５】
2012071034.tif 000007
【図６】
2012071034.tif 000008
【図７】
2012071034.tif 000009
【図８】
2012071034.tif 000010